(57)【要約】【課題】表示されたコンテンツを容易に理解できるようにすることを目的とする。【解決手段】表示装置の表示面に表示されるコンテンツを管理する管理装置であって、通信装置の位置情報及び識別情報を受信する受信部と、前記識別情報と現在表示中の前記コンテンツとが関連するか判定する判定部と、前記位置情報に対応する、前記表示面中の一の領域を決定する決定部と、前記識別情報と現在表示中の前記コンテンツとが関連する場合に、該コンテンツと関連する関連コンテンツを、前記一の領域に表示させる制御部と、を有し、前記制御部は、前記位置情報の変化に応じて、前記関連コンテンツを表示させる領域を変化させる、管理装置を提供する。【選択図】図５
2014175713.tif 000002
【特許請求の範囲】
【請求項１】
表示装置の表示面に表示されるコンテンツを管理する管理装置であって、
通信装置の位置情報及び識別情報を受信する受信部と、
前記識別情報と現在表示中の前記コンテンツとが関連するか判定する判定部と、
前記位置情報に対応する、前記表示面中の一の領域を決定する決定部と、
前記識別情報と現在表示中の前記コンテンツとが関連する場合に、該コンテンツと関連する関連コンテンツを、前記一の領域に表示させる制御部と、
を有し、
前記制御部は、前記位置情報の変化に応じて、前記関連コンテンツを表示させる領域を変化させる、管理装置。
【請求項２】
前記通信装置が受信した測位信号の強度情報を用いて、一の領域における前記関連コンテンツの表示位置を算出する算出部
をさらに有し、
前記受信部は、前記強度情報を受信し、
前記制御部は、前記関連コンテンツを、前記一の領域における前記表示位置に表示させる、
請求項１に記載の管理装置。
【請求項３】
前記表示面は複数の領域からなる表示面であり、
前記測位信号は、前記複数の領域の夫々と対応して設置された配信装置によって送信される、
請求項２に記載の管理装置。
【請求項４】
前記算出部は、受信した二つの強度情報が示す強度の比を求めることにより、一の領域における前記関連コンテンツの表示位置を算出する、
請求項２又は３に記載の管理装置。
【請求項５】
前記関連コンテンツは、前記表示面に表示されているコンテンツを縮小したコンテンツである、
請求項１乃至４の何れか一項に記載の管理装置。
【請求項６】
前記関連コンテンツは、前記表示面に表示されているコンテンツに関する情報へのリンクを含む、
請求項１乃至５の何れか一項に記載の管理装置。
【請求項７】
前記制御部は、前記通信装置から、前記表示面の端部を示す位置情報を受信した場合に、前記関連コンテンツを、前記一の領域に表示させる、
請求項１乃至６の何れか一項に記載の管理装置。
【請求項８】
前記判定部は、前記コンテンツと前記通信装置のユーザとを関連付けるテーブルを用いて、前記識別情報と前記コンテンツとが関連するか判定する、
請求項１乃至７の何れか一項に記載の管理装置。
【請求項９】
表示装置の表示面に表示されるコンテンツを管理する管理方法をコンピュータに実行させるプログラムであって、前記管理方法は、
通信装置の位置情報及び識別情報を受信する受信ステップと、
前記識別情報と現在表示中の前記コンテンツとが関連するか判定する判定ステップと、
前記位置情報に対応する、前記表示面中の一の領域を決定する決定ステップと、
前記識別情報と現在表示中の前記コンテンツとが関連する場合に、該コンテンツと関連する関連コンテンツを、前記一の領域に表示させる第一制御ステップと、
前記位置情報の変化に応じて、前記関連コンテンツを表示させる領域を変化させる第二制御ステップと、
を有する、プログラム。
【請求項１０】
表示面にコンテンツを表示する表示装置と、該コンテンツを管理する管理装置とを有する表示システムであって、
前記管理装置は、
通信装置の位置情報及び識別情報を受信する受信部と、
前記識別情報と現在表示中の前記コンテンツとが関連するか判定する判定部と、
前記位置情報に対応する、前記表示面中の一の領域を決定する決定部と、
前記識別情報と現在表示中の前記コンテンツとが関連する場合に、該コンテンツと関連する関連コンテンツを、前記一の領域に表示させる制御部と、
を有し、前記制御部は、前記位置情報の変化に応じて、前記関連コンテンツを表示させる領域を変化させ、
前記表示装置は、
前記関連コンテンツを、前記一の領域に出力する出力部
を有する、表示システム。
【発明の詳細な説明】
【技術分野】
【０００１】
本発明は、管理装置、プログラム及び表示システムに関する。
【背景技術】
【０００２】
近年、デジタルサイネージと呼ばれる、公共の場所に設置された、プロジェクタやディスプレイ等の映像出力端末が普及している。デジタルサイネージ端末は、多数の人目に付く場所（街角、店舗、駅等）に設置され、映像や音声等のコンテンツを大画面に出力することで、高い広告効果を発揮する。デジタルサイネージは、例えば、ビルや駅構内の大きな壁面のように、場所ごとに異なるコンテンツを出力することにより、広告効果を高める工夫を行なっている。
【０００３】
広告効果をより高めることを目的として、例えば特許文献１は、デジタルサイネージ端末（映像出力端末）の周辺に位置する視聴者に関係するデモグラフィック情報のうち、最も関連性の高い広告コンテンツを選択する技術を開示している。
【発明の概要】
【発明が解決しようとする課題】
【０００４】
例えば通路やビルの壁面のように、ユーザの手が届かない範囲にまで及ぶような、大画面の表示面にコンテンツが出力されている場合、ユーザは、表示面の近くでは、コンテンツの全体像を把握することができない。しかしながら、従来の技術では、上記のような課題を解決することができない。
【０００５】
本発明は、このような問題に鑑みてなされたものであり、表示されたコンテンツを容易に理解できるようにすることを目的とする。
【課題を解決するための手段】
【０００６】
上述した課題を解決し目的を達成するため、本発明の一実施形態における管理装置は、
表示装置の表示面に表示されるコンテンツを管理する管理装置であって、
通信装置の位置情報及び識別情報を受信する受信部と、
前記識別情報と現在表示中の前記コンテンツとが関連するか判定する判定部と、
前記位置情報に対応する、前記表示面中の一の領域を決定する決定部と、
前記識別情報と現在表示中の前記コンテンツとが関連する場合に、該コンテンツと関連する関連コンテンツを、前記一の領域に表示させる制御部と、
を有し、
前記制御部は、前記位置情報の変化に応じて、前記関連コンテンツを表示させる領域を変化させる。
【０００７】
また、本発明の一実施形態におけるプログラムは、
表示装置の表示面に表示されるコンテンツを管理する管理方法をコンピュータに実行させるプログラムであって、前記管理方法は、
通信装置の位置情報及び識別情報を受信する受信ステップと、
前記識別情報と現在表示中の前記コンテンツとが関連するか判定する判定ステップと、
前記位置情報に対応する、前記表示面中の一の領域を決定する決定ステップと、
前記識別情報と現在表示中の前記コンテンツとが関連する場合に、該コンテンツと関連する関連コンテンツを、前記一の領域に表示させる第一制御ステップと、
前記位置情報の変化に応じて、前記関連コンテンツを表示させる領域を変化させる第二制御ステップと、
を有する。
【０００８】
また、本発明の一実施形態における表示システムは、
表示面にコンテンツを表示する表示装置と、該コンテンツを管理する管理装置とを有する表示システムであって、
前記管理装置は、
通信装置の位置情報及び識別情報を受信する受信部と、
前記識別情報と現在表示中の前記コンテンツとが関連するか判定する判定部と、
前記位置情報に対応する、前記表示面中の一の領域を決定する決定部と、
前記識別情報と現在表示中の前記コンテンツとが関連する場合に、該コンテンツと関連する関連コンテンツを、前記一の領域に表示させる制御部と、
を有し、前記制御部は、前記位置情報の変化に応じて、前記関連コンテンツを表示させる領域を変化させ、
前記表示装置は、
前記関連コンテンツを、前記一の領域に出力する出力部
を有する。
【発明の効果】
【０００９】
本発明の一実施形態における管理装置、プログラム又は表示システムにより、表示されたコンテンツを容易に理解できる。
【図面の簡単な説明】
【００１０】
【図１】本発明の一実施形態における表示システムの概要を表す図。
【図２】本発明の一実施形態における管理装置のハードウェア構成例を表す図。
【図３】本発明の一実施形態における移動通信端末のハードウェア構成例を表す図。
【図４】本発明の一実施形態における配信装置のハードウェア構成例を表す図。
【図５】本発明の一実施形態における表示システムの機能ブロック図。
【図６】位置管理情報を格納するテーブルの例を表す図。
【図７】捕捉状態情報を格納するテーブルの例を表す図。
【図８】表示領域情報を格納するテーブルの例を表す図。
【図９】表示領域定義情報を格納するテーブルの例を表す図。
【図１０】表示コンテンツ情報を格納するテーブルの例を表す図。
【図１１】ユーザ情報を格納するテーブルの例を表す図。
【図１２】関連コンテンツ情報を格納するテーブルの例を表す図。
【図１３】ユーザ情報を格納するテーブルの別の例を表す図。
【図１４】ユーザ情報を格納するテーブルの別の例を表す図。
【図１５】本発明の一実施形態における管理装置の処理の流れを表すフローチャート。
【図１６】対象ユーザ判定処理の詳細を表すフローチャート。
【図１７】本発明の一実施形態における表示システムの動作例を表すシーケンス図。
【図１８】本発明の一実施形態における表示システムの機能ブロック図。
【図１９】位置管理情報を格納するテーブルの例を表す図。
【図２０】表示位置を算出する方法の例を説明する図。
【図２１】本発明の一実施形態における管理装置の処理の流れを表すフローチャート。
【図２２】本発明の一実施形態における表示システムの動作例を表すシーケンス図。
【発明を実施するための形態】
【００１１】
以下、本発明の実施形態を図面に基づいて説明する。
【００１２】
１．  システムの概要
２．  ハードウェア構成
３．  機能
４．  動作例
５．  変形例
【００１３】
≪  １．  システムの概要  ≫
図１は、本発明の一実施形態における表示システム１の概要を表す。表示システム１は、管理装置１０と、表示装置３０とを含む。また、表示システム１は、ユーザの所持する移動通信端末２０と、複数の配信装置４０（個別の配信装置を４０Ａ、４０Ｂ・・・と表現する）と、ゲートウェイ５０を含み得る。
【００１４】
管理装置１０と、表示装置３０と、ゲートウェイ５０は、例えばインターネット又はＬＡＮのような、ネットワーク６０で接続されている。また、移動通信端末２０は、３Ｇ若しくは４Ｇネットワーク又は無線ＬＡＮ等を介して、ネットワーク６０と接続されている。また、配信装置４０は、ＺｉｇＢｅｅ（登録商標）のような近距離無線通信方式により、ＰＡＮ（Personal Area Network）７０を形成しており、同様にＰＡＮ７０を形成するゲートウェイ５０を介して、ネットワーク６０に接続されている。
【００１５】
表示装置３０は、ビルや駅構内の壁面等を用いてコンテンツを表示するデジタルサイネージ端末であり、ユーザの手が直接届かない程度に大きな表示面を有する装置である。表示装置３０の表示面は、一枚のディスプレイパネルで構成されるか、あるいは、複数のディスプレイパネルの組み合わせによって構成される。いずれの場合においても、表示面は、ソフトウェア処理により、複数の表示領域３０Ａ、３０Ｂ、・・・に分割されて管理される。図１において、複数の表示領域は、破線で囲まれた矩形の領域に対応する。通常、複数の表示領域は、一体となって、一枚の表示面を構成し、後述する管理装置１０からの制御によって、一のコンテンツ（文字、静止画像、静止画像のスライドショー、動画又はそれらの組み合わせ等）を映し出す。
【００１６】
一方、表示装置３０を構成する複数の表示領域の夫々の近傍には、配信装置４０が設置される。配信装置４０は、例えばＩＭＥＳ（Indoor Messaging Service）規格に従い、当該配信装置４０の設置された位置を表す位置情報（例えば、緯度及び経度）を含む、屋内向けの測位信号を配信する。ＩＭＥＳを用いる場合、配信装置４０は、一般的に、天井に設置される。配信装置４０は、一定範囲に広がる電波を用いて、測位信号を配信する。図１に示されるように、配信装置４０の測位信号が到達する範囲は、対応する表示領域の前面から所定の距離離れた範囲に収まるように、予め調整される。従って、各配信装置の測位信号の送信範囲は、複数の表示領域の夫々と対応する。
【００１７】
また、上述したように、複数の配信装置４０は、ＰＡＮ７０を形成する。例えば、ＰＡＮが、ＺｉｇＢｅｅ（登録商標）を用いて形成される場合には、配信装置４０は、ＺｉｇＢｅｅルータとして動作し、移動通信端末のようなＺｉｇＢｅｅエンドデバイスの通信を中継するルータとして機能する。一方、ＰＡＮは、ＺｉｇＢｅｅコーディネータとして動作するゲートウェイ５０によって形成され、管理される。
【００１８】
移動通信端末２０は、ＧＰＳやＩＭＥＳに対応する位置情報受信機を備える、スマートフォンのような携帯端末である。移動通信端末２０は、配信装置４０から配信される位置情報を受信すると、当該位置情報と、移動通信端末２０に予め格納された識別情報とを、ＰＡＮ７０又は携帯電話通信網を介して、管理装置１０に送信する。移動通信端末２０は、位置情報を受信する毎に、あるいは、任意のタイミングで、受信した位置情報及び識別情報を管理装置１０に送信する。
【００１９】
管理装置１０は、一般的なサーバ向けのコンピュータで構成される。管理装置１０は、移動通信端末２０から受け取った識別情報を用いて、移動通信端末２０のユーザを特定する。そして、管理装置１０は、特定したユーザが、現在表示装置３０に表示中のコンテンツと関連しているかどうか判定し、関連している場合には、ユーザの位置（すなわち、端末の送信した位置情報）に対応する表示領域に、関連コンテンツを表示させる。ここで、関連コンテンツとは、例えば、現在表示中のコンテンツの縮小版のコンテンツである。従って、ユーザは、近くの表示領域に表示された関連コンテンツを確認することにより、その内容を理解することが容易になる。
【００２０】
また、移動通信端末２０を所持するユーザが移動すると、管理措置１０は、先に受信したものとは異なる位置情報を受信する。この場合には、管理装置１０は、新たに受信した位置情報に対応する表示領域に、関連コンテンツを表示させ、直前まで表示していた関連コンテンツの表示を停止する。これにより、ユーザは、移動した後であっても、近くの表示領域に表示された関連コンテンツを閲覧することができ、コンテンツに対する理解がより高まる。また、ユーザの移動に伴って関連コンテンツを表示し続けることができた結果，ユーザが、関連コンテンツに関心をもつ可能性が高くなり、広告効果を高めることができる。
【００２１】
なお、表示装置３０は、ディスプレイパネルを備える代わりに、投影手段を備えるプロジェクタであってもよい。また、表示装置３０は、接触面を検知するタッチパネルディスプレイを備えていてもよい。
【００２２】
≪  ２．  ハードウェア構成  ≫
【００２３】
≪  管理装置  ≫
図２は、本発明の一実施形態における管理装置１０のハードウェア構成例を表す。管理装置１０は、ＣＰＵ１１と、ＲＡＭ１２と、ＲＯＭ１３と、ＨＤＤ１４と、キーボード１５と、マウス１６と、ディスプレイ１７と、ＮＩＣ（Network Interface Card）１８とを有する。
【００２４】
ＣＰＵ１１は、管理装置１０の動作制御を行うプログラムを実行する。ＲＡＭ１２は、ＣＰＵ１１のワークエリアを構成する。ＲＯＭ１３は、ＣＰＵ１１が実行するプログラムや、プログラムの実行に必要なデータを記憶する。ＨＤＤ１４は、詳しくは後述するが、移動通信端末２０から受信した位置情報を管理する位置管理情報や、センサの識別子と表示領域とを関連付ける表示領域情報や、表示領域の具体的な位置を定義する表示領域定義情報等を格納する。ＨＤＤ１４は、磁気ディスクや、ソリッドステートディスクのような記憶装置であってもよい。
【００２５】
キーボード１５及びマウス１６は、管理装置１０の管理者等からの入力を受け付ける装置である。ディスプレイ１７は、管理装置１０の管理者等に情報を提示する装置である。ＮＩＣ１８は、例えばイーサネット（登録商標）によるＬＡＮと接続するための通信インターフェースである。バス１９は、上記の各装置を相互に接続する。
【００２６】
なお、図２の管理装置１０は、単一のコンピュータによって構成されているが、複数のコンピュータにまたがって構成されてもよい。また、そのような複数のコンピュータのそれぞれが、図２に示された装置の一部を有し、全体として、図２に示した装置を実現するよう構成されてもよい。
【００２７】
≪  移動通信端末  ≫
図３は、本発明の一実施形態における移動通信端末２０のハードウェア構成例を表す。移動通信端末２０は、ＣＰＵ２１と、ＲＡＭ２２と、ＲＯＭ２３と、タッチパネル２４と、ディスプレイ２５と、カメラ２６と、無線通信装置２７と、位置情報受信装置２８とを有する。
【００２８】
ＣＰＵ２１は、移動通信端末２０の動作制御を行うプログラムを実行する。ＲＡＭ２２は、ＣＰＵ２１のワークエリアを構成する。ＲＯＭ２３は、ＣＰＵ２１が実行するプログラムや、プログラムの実行に必要なデータを記憶する。
【００２９】
タッチパネル２４は、ユーザからの操作入力を受け付ける装置である。ディスプレイ２５は、ユーザに情報を提示する装置である。カメラ２６は、ＣＭＯＳ(Complementary Metal Oxide Semiconductor)又はＣＣＤ（Charge Coupled Device）等のセンサを搭載する撮像装置である。無線通信装置２７は、３Ｇ若しくは４Ｇネットワーク、無線ＬＡＮ、ＰＡＮ等により、外部の装置と通信する装置である。位置情報受信装置２８は、ＧＰＳ又は屋内向け測位技術であるＩＭＥＳ（Indoor Messaging System）等に準拠した測位信号を受信する装置である。バス２９は、上記の各装置を相互に接続する。
【００３０】
なお、図３の移動通信端末３０は、スマートフォンの例を示したが、本発明の一実施形態における移動通信端末は、位置情報を受信する位置情報受信装置と、外部の装置と通信するための無線通信装置を備える、任意の装置であってもよい。
【００３１】
≪  配信装置  ≫
図４は、本発明の一実施形態における配信装置４０のハードウェア構成例を表す。配信装置４０は、ＣＰＵ４１と、ＲＡＭ４２と、ＲＯＭ４３と、位置情報送信装置４４と、無線通信装置４５とを有する。
【００３２】
ＣＰＵ４１は、配信装置４０の動作制御を行うプログラムを実行する。ＲＡＭ４２は、ＣＰＵ４１のワークエリアを構成する。ＲＯＭ４３は、ＣＰＵ４１が実行するプログラムや、プログラムの実行に必要なデータを記憶する。
【００３３】
位置情報送信装置４４は、例えば、屋内向け測位技術であるＩＭＥＳ（Indoor Messaging System）等に準拠した測位信号を送信する装置である。無線通信装置４５は、ＺｉｇＢｅｅ（登録商標）又はＢｌｕｅｔｏｏｔｈ（登録商標）のような、近距離無線通信方式により、外部の装置と通信する装置である。バス４６は、上記の各装置を相互に接続する。
【００３４】
なお、図４の配信装置４０と図３の移動通信端末３０は、互いに、ＩＭＥＳのような測位信号を介して、位置情報を送受信するよう構成されているが、この例に限られない。例えば、可視光通信や、赤外線通信により、位置情報を送受信するよう構成されても良い。
【００３５】
≪  ３．  機能  ≫
図５は、本発明の一実施形態における管理装置１０、移動通信端末２０、表示装置３０及び配信装置４０の機能ブロック図である。
【００３６】
≪  配信装置  ≫
図５の配信装置４０は、位置情報格納部４０１と、配信部４０２と、中継部４０３とを有する。
【００３７】
位置情報格納部４０１は、配信装置が設置された位置を示す位置情報を格納する。当該位置情報は、例えば、緯度と経度によって表される。
【００３８】
配信部４０２は、位置情報格納部４０１に格納された位置情報を、ＩＭＥＳ等の規格に準ずる測位信号により、所定の範囲に配信する。所定の範囲は、当該配信装置４０と対応付けられる表示領域の、前方の領域となるように設定される。所定の範囲は、表示装置３０が設置される環境に応じて、任意に設定可能であるが、例えば、表示領域の前面から２−３ｍの範囲をカバーできるように、設定される。
【００３９】
中継部４０３は、図１に例示されるように、移動通信端末２０から受信したデータを、他の配信装置又はゲートウェイ５０に中継する。中継されたデータは、最終的に、管理装置１０に転送される。なお、図５では、ゲートウェイ５０の記載は省略している。
【００４０】
≪  移動通信端末  ≫
図５の移動通信端末２０は、識別情報格納部２０１と、位置情報取得部２０２と、送信部２０３とを有する。
【００４１】
識別情報格納部２０１は、移動通信端末２０を一意に識別するための識別情報を格納する。識別情報は、例えば、「ab1234567890」のような、４８ビットのＭＡＣアドレスであってもよい。また、識別情報は、任意の英数字の組み合わせであってもよい。
【００４２】
位置情報取得部２０２は、配信装置４０から送信された測位信号を用いて、位置情報を取得する。
【００４３】
送信部２０３は、識別情報格納部２０１に格納された識別情報と、位置情報取得部２０２が取得した位置情報を、配信装置４０及びゲートウェイ５０を介して、管理装置１０に送信する。なお、送信部２０３は、３Ｇ若しくは４Ｇネットワーク又は無線ＬＡＮ等によって、ネットワーク６０と接続されている場合には、配信装置４０及びゲートウェイ５０を介さず、当該情報を管理装置１０に送信してもよい。
【００４４】
≪  表示装置  ≫
図５の表示装置３０は、コンテンツ受信部３０１と、出力部３０２とを有する。
【００４５】
コンテンツ受信部３０１は、ネットワーク６０を介して、管理装置１０から送信されたコンテンツを受信する。コンテンツは、例えば、文字、静止画像、静止画像のスライドショー、動画又はそれらの組み合わせである。また、コンテンツ受信部３０１は、コンテンツと共に、そのコンテンツの表示位置に関する情報も受信する。
【００４６】
出力部３０２は、コンテンツ受信部３０１が受信したコンテンツを、表示位置に関する情報に従って、表示面の所定の位置に出力する。本発明の一実施形態における表示装置３０の出力部３０２は、当初、表示面全体に、あるコンテンツを出力する。一方、出力部３０２は、管理装置１０からの指示に従って、関連コンテンツを、移動通信端末２０の位置に対応する表示領域に出力する。関連コンテンツは、例えば、現在表示中のコンテンツの縮小コンテンツや、当初表示されていたコンテンツに関する詳細情報を含むページへのリンクのリストである。このとき、出力部３０２は、他の表示領域においては、当初出力していたコンテンツを継続して出力してもよい。
【００４７】
≪  管理装置  ≫
図５の管理装置１０は、受信部１０１と、位置管理情報格納部１０２と、捕捉情報格納部１０３と、表示コンテンツ情報格納部１０４と、ユーザ情報格納部１０５と、対象ユーザ判定部１０６と、表示領域情報格納部１０７と、表示領域決定部１０８と、表示領域定義情報格納部１０９と、コンテンツ格納部１１０と、関連コンテンツ情報格納部１１１と、コンテンツ出力制御部１１２と、コンテンツ送信部１１３とを有する。
【００４８】
受信部１０１は、移動通信端末２０から送信された識別情報と位置情報を受信する。
【００４９】
位置管理情報格納部１０２は、受信部１０１が受信した、識別情報と位置情報を、その受信時刻と関連付ける、位置管理情報を格納する。位置管理情報は、図６に例示されるテーブルによって管理される。図６の位置管理情報は、識別情報と、時刻と、緯度と、経度の項目を有する。識別情報、緯度、及び経度は、移動通信端末２０から受信した情報であり、時刻は、その情報を受信した時刻である。図６に例示されるように、識別情報「ab1234567890」を有する移動通信端末２０から、時刻「2013/2/21 9:48」と、「2013/2/21 9:49」に、それぞれ位置情報を受信している。
【００５０】
捕捉状態情報格納部１０３は、移動通信端末２０が、捕捉状態であるか否かを示す、捕捉状態情報を格納する。捕捉状態情報は、図７に例示されるテーブルによって管理される。図７の捕捉状態情報は、識別情報と、捕捉状態の項目を有する。識別情報は、移動通信端末２０の識別情報である。捕捉状態は、移動通信端末２０が捕捉状態にあるかどうかを表し、捕捉状態であれば「ｙ」、捕捉状態になければ「ｎ」となる。
【００５１】
ここで、捕捉状態とは、当該管理装置１０が、関連コンテンツを出力する対象と判断している状態のことをいう。捕捉状態となる条件は、例えば、移動通信端末２０から、ある特定の位置情報（例えば、図１の表示装置の端部の配信装置４０Ａの位置情報）を受信することである。また、捕捉状態解除となる条件は、移動通信端末２０が、上記とは異なる、特定の位置情報（例えば、図１の表示装置の逆の端部の配信装置４０Ｊの位置情報）を送信するか、移動通信端末２０から、位置情報が一定時間送信されなくなることである。
【００５２】
表示コンテンツ情報格納部１０４は、表示装置３０の表示面に表示中のコンテンツを表す、表示コンテンツ情報を格納する。表示コンテンツ情報は、図１０に例示されるテーブルによって管理される。図１０の表示コンテンツ情報は、時間帯と、コンテンツ名の項目を有する。時間帯は、コンテンツが表示される時間帯を表す。コンテンツ名は、表示装置３０に表示されるコンテンツの名前である。図１０の例では、例えば、「9:00-10:59」の間には、「slideshow_full」というコンテンツ名のコンテンツが、表示装置３０で表示される。
【００５３】
ユーザ情報格納部１０５は、コンテンツと、移動通信端末又はそのユーザとの関連付けを行う、ユーザ情報を格納する。ユーザ情報は、図１１に例示されるテーブルによって管理される。図１１のユーザ情報は、コンテンツ名と、識別情報の項目を有する。コンテンツ名は、表示装置３０に表示されるコンテンツの名前である。識別情報は、移動通信端末の識別情報である。図１１の例では、コンテンツ名が「slideshow_full」のコンテンツに対して、複数の移動通信端末の識別情報「ab1234567890」、「ab1234567890」が関連付けられている。
【００５４】
なお、図１１のユーザ情報では、ユーザの所持する移動通信端末２０の識別情報とコンテンツのコンテンツ名とが、直接関連付けられている。しかしながら、表示システムを提供するインフラ提供者によっては、コンテンツをコンテンツ提供者から受け取るが、そのコンテンツとユーザとの関連付けの情報を管理していない可能性がある。
【００５５】
そこで、インフラ提供者は、図１３のようなテーブルにより、移動通信端末の識別情報と、そのユーザのユーザ名とを関連付けておく。一方、コンテンツ提供者は、図１４のようなテーブルにより、コンテンツとユーザ名とを関連付けておく。そして、インフラ提供者は、移動通信端末から、位置情報及び識別情報を受信すると、識別情報に対応するユーザ名を、コンテンツ提供者に通知し、そのユーザが、現在表示中のコンテンツと関連するか判断するようにしてもよい。
【００５６】
対象ユーザ判定部１０６は、位置情報及び識別情報を送信した移動通信端末のユーザが、関連コンテンツの表示対象であるか否かを判定する。
【００５７】
まず、対象ユーザ判定部１０６は、移動通信端末２０から受信した位置情報が、捕捉状態となるための、特定の位置情報であるかを判定する。そして、移動通信端末２０から受信した位置情報が特定の位置情報であれば、図７の捕捉状態情報において、当該移動通信端末２０の捕捉状態を「ｙ」に設定する。
【００５８】
また、対象ユーザ判定部１０６は、移動通信端末２０から受信した位置情報が、捕捉状態解除となるための、特定の位置情報であるかを判定する。そして、移動通信端末２０から受信した位置情報が、捕捉状態が特定の位置情報であれば、図７の捕捉状態情報において、当該移動通信端末２０の捕捉状態を「ｎ」に設定する。
【００５９】
次に、対象ユーザ判定部１０６は、捕捉状態が「ｙ」の移動通信端末２０のユーザが、現在表示中のコンテンツと関連するか判定する。このために、対象ユーザ判定部１０６は、図１０の表示コンテンツ情報を参照し、位置情報の受信時刻における、表示中のコンテンツのコンテンツ名を特定する。
【００６０】
次に、対象ユーザ判定部１０６は、図１１のユーザ情報を参照し、特定した表示中のコンテンツのコンテンツ名と、位置情報を送信した移動通信端末２０の識別情報とが、関連付けられているかを判定する。その結果、両者が関連付けられていれば、対象ユーザ判定部１０６は、当該移動通信端末２０のユーザを、関連コンテンツを表示対象とすべき、対象ユーザであると判定し、そうでない場合には、対象ユーザでないと判定する。そして、対象ユーザ判定部１０６は、対象ユーザと判定したとき、移動通信端末２０の識別情報及び位置情報を、表示領域決定部１０８に渡す。
【００６１】
なお、図１１のユーザ情報の代わりに、図１３、図１４のユーザ情報が用いられる場合には、対象ユーザ判定部１０６は、図１３のテーブルを参照し、移動通信端末の識別情報に対応するユーザ名を特定する。そして、ネットワーク６０を介して通信可能なコンテンツ提供者のサーバ等に、ユーザ名が、現在表示中のコンテンツに関連するか問合せる。その結果、関連している場合には、そのユーザを、対象ユーザと判定する。
【００６２】
表示領域情報格納部１０７は、位置情報（すなわち、その位置情報を送信する配信装置）と、表示面を構成する表示領域名とを関連付ける、表示領域情報を格納する。表示領域情報は、図８に例示されるテーブルによって管理される。図８の表示領域情報は、緯度と、経度と、表示領域名の項目を有する。緯度及び経度は、表示面の表示領域の物理的な位置と対応する位置情報を表し、対応して設置された配信装置の位置情報と一致する。表示領域名は、表示装置３０の表示面上で、表示領域を一意に特定するための名前である。
【００６３】
表示領域決定部１０８は、対象ユーザ決定部１０６から識別情報及び位置情報を受け取ると、当該位置情報をキーとして、図８の表示領域情報を参照し、関連コンテンツを表示すべき表示領域の表示領域名を決定する。
【００６４】
表示領域定義情報格納部１０９は、表示領域を表す表示領域名と、その表示領域の、表示装置３０の表示面上での座標とを関連付ける、表示領域定義情報を格納する。表示領域定義情報は、図９に例示されるテーブルによって管理される。図９の表示領域定義情報は、表示領域名と、座標の項目を有する。表示領域名は、図８に含まれる、表示領域に付される名前であり、座標は、表示装置３０の表示面上での座標を点で特定する。
【００６５】
図９の例では、表示領域名「３０ａ」の表示領域は、左下の端部の座標が表示面上の、（０，０）ピクセルの位置であり、右上の端部の座標が（１９１９，１０７９）ピクセルの位置である、矩形によって表される領域である。ここでは、便宜上、表示面に向かって左下の端部の座標を（０，０）としたが、任意の座標を用いることができる。また、表示面上の位置を特定するために、ピクセルによる座標以外を用いた、任意の方法が用いられ得る。
【００６６】
コンテンツ格納部１１０は、表示装置３０に表示される、例えば、文字、静止画像、静止画像のスライドショー、動画又はそれらの組み合わせ等のコンテンツを、任意の形式で格納する。また、コンテンツ格納部１１０は、関連コンテンツである、上記コンテンツの縮小コンテンツや、上記コンテンツに関する情報を含むページへのリンクのリストも格納する。
【００６７】
関連コンテンツ情報格納部１１１は、コンテンツのコンテンツ名と、そのコンテンツに関連する関連コンテンツの関連コンテンツ名とを関連付ける、関連コンテンツ情報を格納する。関連コンテンツ情報は、図１２に例示されるテーブルによって管理される。図１２の関連コンテンツ情報は、コンテンツ名と、関連コンテンツ名の項目を有する。コンテンツ名は、コンテンツの名前を表す。関連コンテンツ名は、対象ユーザに対して提示される関連コンテンツの名前を表す。コンテンツ名及び関連コンテンツ名は、図示しないテーブル等により、コンテンツ格納部１１０に格納されたコンテンツの本体と関連付けられる。
【００６８】
図１２の例では、ある商品の画像のスライドショーであるコンテンツ「slideshow_full」は、そのスライドショーの縮小版であるコンテンツ「slideshow_small」と関連付けられる。また、ある商品の紹介動画であるコンテンツ「new_product_movie」は、その商品と関連する詳細ページや、その商品を購入可能な店舗への地図のページへのリンクを含むリスト「related_link」と関連付けられる。
【００６９】
コンテンツ出力制御部１１２は、表示装置３０の表示面に表示させるコンテンツを制御する。コンテンツ出力制御部１１２は、図１０の表示コンテンツ情報に従って、時刻に応じて、所定のコンテンツを表示装置３０の表示面全体に表示させる。また、コンテンツ出力制御部１１２は、図１２の関連コンテンツ情報を参照し、表示中のコンテンツの関連コンテンツを、表示領域決定部１０８の決定した表示領域に表示させる。
【００７０】
このとき、コンテンツ出力制御部１１２は、表示装置３０がコンテンツの表示位置を特定できるように、表示領域名、又は、その表示領域名に対応する座標を、コンテンツの表示位置に関する情報として、表示装置３０に送信する。表示領域名に対応する座標は、図９の表示領域定義情報によって、特定される。なお、表示領域内における関連コンテンツ野の表示位置は、関連コンテンツの種類に応じて、任意に決定されてもよい。例えば、関連コンテンツが縮小版のコンテンツである場合、当該関連コンテンツは、表示領域内の中央に表示されてもよい。また、関連コンテンツは、一般的なユーザの目の高さに合うような位置に表示されてもよい。
【００７１】
コンテンツ出力制御部１１２は、表示装置３０に表示させるコンテンツのコンテンツ名と、その表示位置に関する情報を、コンテンツ送信部１１３に渡す。
【００７２】
コンテンツ送信部１１３は、コンテンツ出力制御部１０７から受け取ったコンテンツ名に対応するコンテンツの本体と、コンテンツの表示位置に関する情報を、ネットワーク６０を介して、表示装置３０に送信する。
【００７３】
以上の機能により、本発明の一実施形態における表示システム１は、巨大な表示面を有するデジタルサイネージにユーザが接近したとき、その接近した位置に対応する表示領域に、表示中のコンテンツと関連するコンテンツを表示することができる。また、ユーザの移動に伴って、関連するコンテンツの表示位置を変化させることができる。これによって、ユーザは、コンテンツの全体像を近くで確認できるだけでなく、コンテンツに対する関心が高まる。結果として、上記表示システム１は、デジタルサイネージによる宣伝効果を高まるという効果を奏する。
【００７４】
≪  ４．  動作例  ≫
次に、図１５を用いて、本発明の一実施形態における管理装置１０の処理フローを説明する。当該処理は、受信部１０１が、移動通信端末２０から位置情報及び識別情報を受信するたびに、実行される。
【００７５】
ステップＳ１０１において、対象ユーザ判定部１０６は、受信した識別情報によって特定される移動通信端末のユーザが、対象ユーザであるかどうかを判定する。
【００７６】
ステップＳ１０２において、ステップＳ１０１で対象ユーザと判定された場合には、ステップＳ１０３に進み、そうでない場合には、処理を終了する。
【００７７】
ステップＳ１０３において、表示領域決定部１０８は、受信した位置情報に対応する表示領域を決定する。
【００７８】
ステップＳ１０４において、コンテンツ出力制御部１１２は、図１０の表示コンテンツ情報及び図１２の関連コンテンツ情報を参照し、現在表示中のコンテンツと関連のある関連コンテンツを、コンテンツ送信部１１３を介して、表示装置３０に送信する。このとき、関連コンテンツの表示位置に関する情報も、表示装置３０に送信される。
【００７９】
ステップＳ１０５において、以前に実行したステップＳ１０４の処理により、既に関連コンテンツを送信済みである場合には、ステップＳ１０６に進み、そうでない場合には、処理を終了する。
【００８０】
ステップＳ１０６において、コンテンツ出力制御部１１２は、直前に送信した関連コンテンツの出力を停止するよう表示装置３０に指示する。
【００８１】
以上の処理の間、ステップＳ１０３で決定された表示領域以外の表示領域では、当初表示されていたコンテンツが、継続して表示される。一方で、ステップＳ１０３で決定された表示領域内では、関連コンテンツが、当初のコンテンツと重畳して表示され得る。
【００８２】
ここで、図１６を用いて、図１５のステップＳ１０１の対象ユーザ判定処理の詳細を説明する。
【００８３】
ステップＳ１０１−１において、移動通信端末２０から受信した位置情報が、捕捉状態となるための、特定の位置情報である場合には、ステップＳ１０１−２に進み，そうでない場合には、ステップＳ１０１−３に進む。
【００８４】
ステップＳ１０１−２において、対象ユーザ判定部１０６は、位置情報を送信した移動通信端末２０が捕捉状態になったと判定し、図７の捕捉状態情報における、当該移動通信端末２０の捕捉状態を、「ｙ」に設定する。
【００８５】
ステップＳ１０１−３において、移動通信端末２０から受信した位置情報が、捕捉状態解除となるための、特定の位置情報である場合には、ステップＳ１０１−４に進み，そうでない場合には、ステップＳ１０１−５に進む。
【００８６】
ステップＳ１０１−４において、対象ユーザ判定部１０６は、位置情報を送信した移動通信端末２０が捕捉状態解除になったと判定し、図７の捕捉状態情報における、当該移動通信端末２０の捕捉状態を、「ｎ」に設定する。
【００８７】
ステップＳ１０１−５において、位置情報を送信した移動通信端末２０が捕捉状態である場合には、ステップＳ１０１−６に進み，そうでない場合には、ステップＳ１０１−９に進む。
【００８８】
ステップＳ１０１−６において、対象ユーザ判定部１０６は、図１０の表示コンテンツ情報を参照し、現在時刻をキーとして、現在表示中のコンテンツのコンテンツ名を特定する。
【００８９】
ステップＳ１０１−７において、図１１（又は、図１３及び図１４）のユーザ情報より、ステップＳ１０１−６で特定したコンテンツのコンテンツ名が、位置情報を送信した移動通信端末の識別情報と関連付けられている場合には、ステップＳ１０１−８に進む。そうでない場合には、ステップＳ１０１−９に進む。
【００９０】
ステップＳ１０１−８において、対象ユーザ判定部１０６は、位置情報を送信した移動通信端末を所持するユーザが、対象ユーザであると判定する。
【００９１】
ステップＳ１０１−９において、対象ユーザ判定部１０６は、位置情報を送信した移動通信端末を所持するユーザが、対象ユーザでないと判定する。
【００９２】
次に、図１７を用いて、本発明の一実施形態における表示システム１の動作例を、具体例を用いて説明する。ここでは、図１に示されるように、表示装置３０の表示面を構成する一の表示領域３０Ａに、識別情報「ab1234567890」を有する移動通信端末を所持したユーザが接近したものとして説明を行う。図１に示されるように、表示領域３０Ａの近傍（例えば、表示領域の前方上部の天井）には、配信装置４０Ａが設置され、その設置位置を表す位置情報を配信する。また、表示装置３０は、ある商品の紹介動画であるコンテンツ「new_product_movie」を、表示面全体に表示している。
【００９３】
ステップＳ２０１において、配信装置４０Ａの配信部４０２は、位置情報（緯度「36.68130」、経度「139.76600」）を配信し、移動通信端末２０の位置情報取得部２０２が、これを受信する。
【００９４】
ステップＳ２０２において、移動通信端末３０の送信部２０３は、ステップＳ２０１で受信した位置情報と、識別情報格納部２０１に格納される識別情報を、配信装置４０Ａに送信する。
【００９５】
ステップＳ２０３において、配信装置４０Ａの中継部４０３は、ステップＳ２０２で送信された、移動通信端末２０の位置情報及び識別情報を中継し、ゲートウェイ５０（図示しない）を介して、管理装置１０に転送する。
【００９６】
ステップＳ２０４において、管理装置１０の位置管理情報格納部１０２は、ステップＳ２０３で受信した位置情報及び識別情報を、その受信時刻とともに、格納する。図６の、以下のエントリが、ここで格納される情報である。
−識別情報：ab1234567890
−時刻    ：2013/2/21 9:48
−緯度    ：36.68130
−経度    ：139.76600
ステップＳ２０５において、管理装置１０の対象ユーザ判定部１０６は、位置情報を送信した移動通信端末２０のユーザが、対象ユーザであるか判定する。判定処理の詳細は、図１６で示した通りである。ここで、捕捉状態となるための特定の位置情報が、配信装置４０Ａの配信する位置情報（緯度「36.68130」、経度「139.76600」）であり、捕捉状態解除となるための特定の位置情報が、配信装置４０Ｊの配信する位置情報であるとする。
【００９７】
従って、識別情報「ab1234567890」を有する移動通信端末は、捕捉状態が「ｙ」に設定される。また、図１０の表示コンテンツ情報より、現在表示装置３０に表示中のコンテンツのコンテンツ名は「slideshow_full」である。そして、図１１のユーザ情報より、コンテンツ名「slideshow_full」と、識別情報「ab1234567890」とは関連付けられていることから、当該ユーザは、対象ユーザであると判定される。
【００９８】
ステップＳ２０６において、管理装置１０の表示領域決定部１０８は、図８の表示領域情報を参照し、ステップＳ２０３で受信した位置情報と対応する表示領域を、関連コンテンツを表示する表示領域に決定する。ここでは、位置情報（緯度「36.68130」、経度「139.76600」）に対応する表示領域３０Ａ（表示領域名は「30a」）が、関連コンテンツを表示する表示領域に決定される。
【００９９】
ステップＳ２０７において、管理装置１０のコンテンツ出力制御部１１２は、図１０の表示コンテンツ情報及び図１２の関連コンテンツ情報を参照し、現在表示中のコンテンツと関連するコンテンツを、コンテンツ送信部１１３を介して、表示装置３０に送信する。また、コンテンツ出力制御部１１２は、図９の表示領域定義情報を参照し、ステップＳ２０６で決定した表示領域に対応する座標の情報を、表示位置に関する情報として、表示装置３０に送信する。ここでは、関連コンテンツ「slideshow_small」が、表示位置に関する情報（座標が「0,0」及び座標「1919,1079」）とともに、表示装置３０に送信される。
【０１００】
ステップＳ２０８において、表示装置１０の出力部３０２は、ステップＳ２０７で受信した関連コンテンツを、表示位置に関する情報に基づいて、表示領域３０Ａに表示する。ここでは、左下の座標が「0,0」、右上の座標が「1919,1079」である矩形の領域（表示領域３０Ａに対応）の中央に、関連コンテンツ「slideshow_small」が表示される。
【０１０１】
ここで、移動通信端末２０を所持するユーザが、表示領域３０Ｂの前に移動したものとして、以下の説明を進める。表示装置３０Ｂの近傍には、配信装置４０Ｂが設置されている。
【０１０２】
ステップＳ２０９において、配信装置４０Ｂの配信部４０２は、位置情報（緯度「36.68130」、経度「139.76605」）を配信し、移動通信端末２０の位置情報取得部２０２が、これを受信する。
【０１０３】
ステップＳ２１０において、移動通信端末３０の送信部２０３は、ステップＳ２０９で受信した位置情報と、識別情報格納部２０１に格納される識別情報を、配信装置４０Ｂに送信する。
【０１０４】
ステップＳ２１１において、配信装置４０Ｂの中継部４０３は、ステップＳ２１０で送信された、移動通信端末２０の位置情報及び識別情報を中継し、ゲートウェイ５０（図示しない）を介して、管理装置１０に転送する。
【０１０５】
ステップＳ２１２において、管理装置１０の位置管理情報格納部１０２は、ステップＳ２１１で受信した位置情報及び識別情報を、その受信時刻とともに、格納する。図６の、以下のエントリが、ここで格納される情報である。
−識別情報：ab1234567890
−時刻    ：2013/2/21 9:53
−緯度    ：36.68130
−経度    ：139.76605
ステップＳ２１３において、管理装置１０の対象ユーザ判定部１０６は、位置情報を送信した移動通信端末２０のユーザが、対象ユーザであるか判定する。判定処理の詳細は、図１６で示した通りである。ここでは、識別情報「ab1234567890」を有する移動通信端末は、既に捕捉状態である。また、図１０の表示コンテンツ情報より、現在表示装置３０に表示中のコンテンツのコンテンツ名は「slideshow_full」である。そして、図１１のユーザ情報より、コンテンツ名「slideshow_full」と、識別情報「ab1234567890」とは関連付けられていることから、当該ユーザは、対象ユーザであると判定される。
【０１０６】
ステップＳ２１４において、管理装置１０の表示領域決定部１０８は、図８の表示領域情報を参照し、ステップＳ２１１で受信した位置情報と対応する表示領域を、関連コンテンツを表示する表示領域に決定する。ここでは、位置情報（緯度「36.68130」、経度「139.76605」）に対応する表示領域３０Ｂ（表示領域名は「30b」）が、関連コンテンツを表示する表示領域に決定される。
【０１０７】
ステップＳ２１５において、管理装置１０のコンテンツ出力制御部１１２は、図１０の表示コンテンツ情報及び図１２の関連コンテンツ情報を参照し、現在表示中のコンテンツと関連するコンテンツを、コンテンツ送信部１１３を介して、表示装置３０に送信する。また、コンテンツ出力制御部１１２は、図９の表示領域定義情報を参照し、ステップＳ２１４で決定した表示領域に対応する座標の情報を、表示位置に関する情報として、表示装置３０に送信する。ここでは、関連コンテンツ「slideshow_small」が、表示位置に関する情報（座標「1920,0」及び座標「3839,1079」）とともに、表示装置３０に送信される。
【０１０８】
ステップＳ２１６において、表示装置１０の出力部３０２は、ステップＳ２１５で受信した関連コンテンツを、表示位置に関する情報に基づいて、表示領域３０Ｂに表示する。ここでは、左下の座標が「1920,0」、右上の座標が「3839,1079」である矩形の領域（表示領域３０Ｂに対応）の中央に、関連コンテンツ「slideshow_small」が表示される。
【０１０９】
ステップＳ２１７において、管理装置１０のコンテンツ出力制御部１１２は、ステップＳ２０７で送信した関連コンテンツの表示領域３０Ａへの表示を停止するよう、表示装置３０に指示する。
【０１１０】
ステップＳ２１８において、表示装置３０の出力部３０２は、表示領域３０Ａへの関連コンテンツの出力を停止する。
【０１１１】
なお、ステップＳ２０８、ステップＳ２１６で表示される関連コンテンツの表示位置は、任意である。表示領域３０Ａ、３０Ｂの中央に表示されてもよし、全体に表示されても良い。このとき、関連コンテンツは、関連コンテンツが表示される前に表示されていたコンテンツに、重畳して表示されてもよい。
【０１１２】
以上によって、本発明の一実施形態における表示システム１は、ユーザの移動に合わせて、デジタルサイネージで再生中のコンテンツと関連するコンテンツを、ユーザの近くの表示面に表示することができる。これにより、ユーザは、コンテンツに対する関心を持ち易くなり、デジタルサイネージによる広告効果を高めることができる。
【０１１３】
≪  ５．  変形例  ≫
次に、上記で説明した表示システム１の変形例である、表示システム１Ａを説明する。表示システム１Ａでは、表示領域内での関連コンテンツの表示位置まで制御される。表示システム１Ａでは、このような制御を行うために、移動通信端末２０が受信する測位信号の信号強度の情報が用いられる。
【０１１４】
具体的には、表示システム１Ａの移動通信端末２０は、二つの配信装置から測位信号を受信すると、それぞれの測位信号の信号強度を取得し、それぞれの識別情報及び位置情報とともに、管理装置１０に送信する。管理装置１０は、同時刻に受け取った二つの測位信号の信号強度の比を用いて、移動通信端末２０が、二つの配信装置の間のどの位置にあるかを推測する。そして、表示装置３０の表示領域の中の、推測位置と対応する位置に、関連コンテンツを表示させる。
【０１１５】
これにより、表示システム１Ａは、ユーザの位置に合わせて、きめ細かく、コンテンツを表示する位置を制御することができ、ユーザは、違和感なく関連コンテンツを閲覧することができる。
【０１１６】
以下、図１８−図２１を用いて、既に説明した表示システム１との違いに着目して説明する。なお、表示システム１Ａを構成する各装置のハードウェア構成は、図２−図４等を用いて説明した通りである。
【０１１７】
図１８は、表示システム１Ａの機能ブロック図である。表示システム１Ａの移動通信端末２０は、既に説明した表示システム１の機能ブロック（図５）と比べて、さらに強度情報取得部２０４を有する。
【０１１８】
強度情報取得部２０４は、配信装置４０から受信した測位信号の信号強度情報を取得し、送信部２０３に渡す。
【０１１９】
また、送信部２０３は、識別情報格納部２０１に格納された識別情報と、位置情報取得部２０２が取得した位置情報とともに、信号強度情報を、管理装置１０に送信する。
【０１２０】
表示システム１Ａにおける管理装置１０の位置管理情報格納部１０２は、図１９に例示される位置管理情報を格納する。図１９の位置管理情報は、図６の位置管理情報に対して、信号強度情報の項目が追加されており、ここに、移動通信端末２０から受信した信号強度情報が格納される。
【０１２１】
対象ユーザ判定部１０６は、受信部１０１が二組の位置情報を同時刻（又は、同時刻とみなすよう予め定められた所定の時間内）に受け取った場合、より強い信号強度とともに送信された位置情報を、移動通信端末２０から受信した位置情報として取り扱う。そして、上述した処理と同様に、対象ユーザ判定を行う。
【０１２２】
ここで、位置情報を送信した移動通信端末２０のユーザが、対象ユーザであると判定されたとき、対象ユーザ判定部１０６は、移動通信端末２０から受信した二組の位置情報及びその信号強度情報を、表示領域決定部１０８に渡す。
【０１２３】
表示領域決定部１０８は、受け取った二組の位置情報のうち、より強い信号強度とともに送信された位置情報を用いて、表示領域を決定する。
【０１２４】
ここで、表示システム１Ａにおける管理装置１０は、新たに表示位置算出部１１４を有する。表示位置算出部１１４は、表示領域決定部１０８から、決定した表示領域の表示領域名と、二組の位置情報及び信号強度情報とを受け取る。そして、二つの信号強度の比を用いて、決定した表示領域における、関連コンテンツの表示位置を算出する。
【０１２５】
図１９及び図２０を用いて、算出方法の簡易な例について説明する。図２０には、二つの配信装置４０Ａ、４０Ｂと、それらから測位信号を受信する移動通信端末２０が示されている。また、それぞれの配信装置に対応する表示領域３０Ａ、３０Ｂも示されている。図１９の位置管理情報に含まれる項目のうち、上から一番目のエントリは、移動通信端末２０が、配信装置４０Ａから受信した位置情報及び信号強度情報（以下、第一信号強度とする）である。また、上から二番目のエントリは、移動通信端末２０が、配信装置４０Ｂから受信した位置情報及び信号強度情報（以下、第二信号強度とする）である。ここでは、受信強度を表す単位として、ｄＢｍが示されている。送信強度（同様にｄＢｍで表現できる）が同じであれば、受信強度の値が大きい方が、より近くで強い電波を受信していることになる。
【０１２６】
表示位置算出部１１４は、第一信号強度と第二信号強度の比を求める。例えば、それぞれの信号強度の絶対値の比が、移動通信端末の、配信装置の間での位置を表すものとする。ここでは、第一信号強度が−８０ｄＢｍであり、第二信号強度が−１２０ｄＢｍであるから、その絶対値の比は、２：３となる。従って、移動通信端末２０の位置は、配信装置４０Ａと４０Ｂとの間を、２：３に分ける地点にあるものとする。各配信装置の緯度と経度は、図１９の位置管理情報に格納されているため、表示位置算出部１１４は、移動通信端末２０の緯度と経度を算出し、その位置を、関連コンテンツの表示位置とする。
【０１２７】
以上により、表示位置算出部は、関連コンテンツの表示位置を算出し、その情報を、コンテンツ出力制御部１１２に渡す。なお、上記の表示位置は、緯度及び経度によって表現されるため、表示位置算出部１１４は、図９の表示領域定義情報を用いて、対応するピクセル座標を算出し、その情報を、コンテンツ出力制御部に渡してもよい。
【０１２８】
コンテンツ出力制御部１１２は、表示領域決定部１０８の決定した表示領域と、表示位置算出部１１４の算出した表示位置とを、表示位置に関する情報として、コンテンツ送信部１１３を介して、表示装置３０に送信する。
【０１２９】
図２１は、表示システム１Ａの管理装置１０の処理フローを表すフローチャートである。ここで、管理装置１０は、一の移動通信端末２０から、二組の、位置情報、識別情報及び信号強度情報を、同一時刻に受信したものとする。
【０１３０】
ステップＳ３０１、Ｓ３０２は、図１５のステップＳ１０１−Ｓ１０２と対応し、対象ユーザ判定部１０６は、同一時刻に異なる位置情報を送信した一のユーザが、対象ユーザであるかどうかを判定する。
【０１３１】
ステップＳ３０３において、表示領域決定部１０８は、同一時刻に受信した二組の情報のうち、より大きい信号強度情報を含む情報の位置情報に対応する表示領域を、表示領域に決定する。位置情報と表示領域との関係は、図８に示される通りである。
【０１３２】
ステップＳ３０４において、表示位置算出部１１４は、第一信号強度と第二信号強度の比を用いて、関連コンテンツの表示位置を算出する。
【０１３３】
ステップＳ３０５において、コンテンツ出力制御部１１２は、図１０の表示コンテンツ情報及び図１２の関連コンテンツ情報を参照し、現在表示中のコンテンツと関連のある関連コンテンツを、コンテンツ送信部１１３を介して、表示装置３０に送信する。このとき、コンテンツ出力制御部１１２は、ステップＳ３０３で決定された表示領域と、ステップＳ３０４で算出された表示位置の情報を、表示装置３０に送信する。
【０１３４】
ステップＳ３０６、Ｓ３０７は、図１５のステップＳ１０５、Ｓ１０６と対応する。
【０１３５】
図２２は、本発明の一実施形態における表示システム１Ａの動作例を示す。図２２は、図１５の動作例と対応する。ここでは、表示装置３０の表示面を構成する一の表示領域３０Ａ（ただし表示領域３０Ｂ寄りの位置）に、識別情報「ab1234567890」を有する移動通信端末を所持したユーザが接近したものとして説明を行う。図１に示されるように、表示領域３０Ａの近傍（例えば、表示領域の前方上部の天井）には、配信装置４０Ａが設置され、表示領域３０Ｂの近傍には、配信装置４０Ｂが設置されている。それぞれの配信装置は、設置位置を表す位置情報を配信する。また、表示装置３０は、ある商品の紹介動画であるコンテンツ「new_product_movie」を、表示面全体に表示している。
【０１３６】
ステップＳ４０１において、配信装置４０Ａの配信部４０２は、位置情報（緯度「36.68130」、経度「139.76600」）を配信し、移動通信端末２０の位置情報取得部２０２が、これを受信する。
【０１３７】
ステップＳ４０２において、移動通信端末３０の送信部２０３は、ステップＳ２０１で受信した位置情報と、識別情報格納部２０１に格納される識別情報と、信号強度情報を、配信装置４０Ａに送信する。
【０１３８】
ステップＳ４０３において、配信装置４０Ａの中継部４０３は、ステップ４２０２で送信された、移動通信端末２０の位置情報、識別情報及び信号強度情報を中継し、ゲートウェイ５０（図示しない）を介して、管理装置１０に転送する。
【０１３９】
ステップＳ４０４において、管理装置１０の位置管理情報格納部１０２は、ステップＳ４０３で受信した位置情報、識別情報及び信号強度情報を、その受信時刻とともに、格納する。図１９の、以下のエントリが、ここで格納される情報である。
−識別情報    ：ab1234567890
−時刻        ：2013/2/21 9:48
−緯度        ：36.68130
−経度        ：139.76600
−信号強度情報：-80dBm
一方、ステップＳ４０５において、配信装置４０Ｂの配信部４０２は、位置情報（緯度「36.68130」、経度「139.76605」）を配信し、移動通信端末２０の位置情報取得部２０２が、これを受信する。
【０１４０】
ステップＳ４０６において、移動通信端末３０の送信部２０３は、ステップＳ４０５で受信した位置情報と、識別情報格納部２０１に格納される識別情報と、信号強度情報を、配信装置４０Ｂに送信する。
【０１４１】
ステップＳ４０７において、配信装置４０Ｂの中継部４０３は、ステップ４０６で送信された、移動通信端末２０の位置情報、識別情報及び信号強度情報を中継し、ゲートウェイ５０（図示しない）を介して、管理装置１０に転送する。
【０１４２】
ステップＳ４０８において、管理装置１０の位置管理情報格納部１０２は、ステップＳ４０７で受信した位置情報、識別情報及び信号強度情報を、その受信時刻とともに、格納する。図１９の、以下のエントリが、ここで格納される情報である。
−識別情報    ：ab1234567890
−時刻        ：2013/2/21 9:48
−緯度        ：36.68130
−経度        ：139.76605
−信号強度情報：-120dBm
上記のステップＳ４０１−Ｓ４０４と、ステップＳ４０５−Ｓ４０８は、同時（又は同時とみなせる所定の時間内）に、並列に行われたものとする。
【０１４３】
ステップＳ４０９において、管理装置１０の対象ユーザ判定部１０６は、位置情報を送信した移動通信端末２０のユーザが、対象ユーザであるか判定する。判定処理の詳細は、図１６で示した通りである。ここで、同一時刻に同一のユーザから二つの位置情報を受信しているため、対象ユーザ判定部１０６は、より強い信号強度情報とともに送信された位置情報が、捕捉状態又は捕捉状態解除となるための特定の位置情報であれば、それぞれ、捕捉状態又は捕捉状態解除となったものと判断することができる。よって、図１６の例と同様に、当該移動通信端末の捕捉状態が、「ｙ」に設定される。
【０１４４】
また、図１０の表示コンテンツ情報より、現在表示装置３０に表示中のコンテンツのコンテンツ名は「slideshow_full」である。そして、図１１のユーザ情報より、コンテンツ名「slideshow_full」と、識別情報「ab1234567890」とは関連付けられていることから、当該ユーザは、対象ユーザであると判定される。
【０１４５】
ステップＳ４１０において、管理装置１０の表示領域決定部１０８は、同時刻に受け取ったステップＳ４０３で受け取った信号強度情報と、ステップＳ４０７で受け取った信号強度情報とを比較する。そして、大きな信号強度情報とともに送信された位置情報に対応する表示領域を、関連コンテンツを表示する表示領域に決定する。ここでは、-80dBmの信号強度情報とともに送信された位置情報（緯度「36.68130」、経度「139.76600」）に対応する、表示領域「30a」が、関連コンテンツの表示領域に決定される。
【０１４６】
ステップＳ４１１において、管理装置１０の表示位置算出部１１４は、ステップＳ４０３とステップＳ４０４で受信した信号強度情報の絶対値の比から、関連コンテンツの表示位置を算出する。ここでは、図２０に例示したように、移動通信端末２０は、配信装置４０Ａと４０Ｂの間を２：３に分ける地点に位置すると判断する。よって、表示位置算出部１１４は、移動通信端末２０が緯度「36.68130」、経度「139.76602」の位置にあると判断し、これを表示位置とする。
【０１４７】
また、表示位置算出部１１４は、さらに、当該緯度と経度に対応するピクセル座標を、図９を参照して求めてもよい。ここでは、表示領域３０Ａのほぼ中央を示す点のx座標が「960」（端数は繰り上げ）であり、表示領域３０Ｂのほぼ中央を示す点のx座標が「2879」である。したがって、これらの点を結んだ直線を２：３に分ける点のx座標「1728」を表示位置としてもよい。
【０１４８】
ステップＳ４１２において、管理装置１０のコンテンツ出力制御部１１２は、現在表示中のコンテンツと関連するコンテンツ「slideshow_small」を、コンテンツ送信部１１３を介して、表示装置３０に送信する。また、コンテンツ出力制御部１１２は、ステップＳ４１０で決定した表示領域に対応する座標の情報（座標「1920,0」及び座標「3839,1079」）と、ステップＳ４１１で決定した表示位置の情報（ｘ座標「1728」）を、表示位置に関する情報として、表示装置３０に送信する。
【０１４９】
ステップＳ４１３において、表示装置１０の出力部３０２は、ステップＳ４１２で受信した関連コンテンツを、表示位置に関する情報に基づいて、表示領域３０Ａに表示する。ここでは、左下の座標が「0,0」、右上の座標が「1919,1079」である矩形の領域（表示領域３０Ａに対応）のうちの、ｘ座標「1728」の位置に、関連コンテンツ「slideshow_small」が表示される。
【０１５０】
なお、上記の例では、コンテンツ出力制御部１１２は、表示位置に関する情報として、表示領域内の関連コンテンツの表示位置のｘ座標の値を、表示装置３０に送信したが、ｙ座標の値を送信してもよい。ｙ座標の値は、関連コンテンツの大きさや種類によって、適宜定められても良い。例えば、関連コンテンツが、表示面全体に表示中のコンテンツの縮小版のコンテンツである場合には、ユーザの目に留まりやすいように、目の高さに対応するｙ座標の値が指定されてもよい。
【０１５１】
ステップＳ４１３の後は、図１６で説明したように、移動通信端末２０から随時送信される位置情報に合わせて、関連コンテンツの表示位置が変更される。以上の動作によって、本発明の一実施形態における表示システム１Ａは、ユーザの移動に合わせて、デジタルサイネージで再生中のコンテンツと関連するコンテンツを、近くの表示面に随時表示することが可能となる。これにより、ユーザは、移動に伴って表示される関連コンテンツを違和感なく認識することができる。
【符号の説明】
【０１５２】
１  表示システム
１０  管理装置
２０  移動通信端末
３０  表示装置
４０  配信装置
６０  ネットワーク
７０  ＰＡＮ
１０１  受信部
１０２  位置管理情報格納部
１０３  捕捉状態情報格納部
１０４  表示コンテンツ情報格納部
１０５  ユーザ情報格納部
１０６  対象ユーザ判定部
１０７  表示領域情報格納部
１０８  表示領域決定部
１０９  表示領域定義情報格納部
１１０  コンテンツ格納部
１１１  関連コンテンツ情報格納部
１１２  コンテンツ出力制御部
１１３  コンテンツ送信部
２０１  識別情報格納部
２０２  位置情報取得部
２０３  送信部
３０１  コンテンツ受信部
３０２  出力部
４０１  位置情報格納部
４０２  配信部
４０３  中継部
【先行技術文献】
【特許文献】
【０１５３】
【特許文献１】特開２０１２−９８５９８
【図１】
2014175713.tif 000003
【図２】
2014175713.tif 000004
【図３】
2014175713.tif 000005
【図４】
2014175713.tif 000006
【図５】
2014175713.tif 000007
【図６】
2014175713.tif 000008
【図７】
2014175713.tif 000009
【図８】
2014175713.tif 000010
【図９】
2014175713.tif 000011
【図１０】
2014175713.tif 000012
【図１１】
2014175713.tif 000013
【図１２】
2014175713.tif 000014
【図１３】
2014175713.tif 000015
【図１４】
2014175713.tif 000016
【図１５】
2014175713.tif 000017
【図１６】
2014175713.tif 000018
【図１７】
2014175713.tif 000019
【図１８】
2014175713.tif 000020
【図１９】
2014175713.tif 000021
【図２０】
2014175713.tif 000022
【図２１】
2014175713.tif 000023
【図２２】
2014175713.tif 000024